(57)【要約】  本発明は隣接セル配置方法、ネットワーク機器、ユーザ機器及びコンピュータ記憶媒体を開示する。前記方法は、ユーザ機器（ＵＥ）から送信された、測定周波数点に対応するターゲットセルの報告情報を受信し、前記ターゲットセルの報告情報にＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルであるステップと、前記報告情報に基づき、前記ＮＳＡセル及び／又はＳＡセルに対応する識別子情報と属性情報を隣接セルリストに追加するステップとを含む。
2021517749.tif 000002
【特許請求の範囲】
【請求項１】
隣接セル配置方法であって、ネットワーク機器に適用され、前記方法は、
ユーザ機器（ＵＥ）から送信された、測定周波数点に対応するターゲットセルの報告情報を受信し、前記ターゲットセルの報告情報にＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルであるステップと、
前記報告情報に基づき、前記ＮＳＡセル及び／又はＳＡセルに対応する識別子情報と属性情報を隣接セルリストに追加するステップとを含む、前記隣接セル配置方法。
【請求項２】
前記方法はさらに、
前記ＵＥに測定周波数点を配置するステップを含むことを特徴とする
請求項１に記載の方法。
【請求項３】
前記ＮＳＡセル及び／又はＳＡセルに対応する識別子情報と属性情報を隣接セルリストに追加する前記ステップは、
前記ＬＴＥセルがデュアル接続をサポートするセルである場合、前記報告情報にＳＡセルが含まれる場合、前記報告情報から前記ＳＡセルに対応するグローバルセル一意識別子を取得し、前記ＳＡセルのグローバルセル一意識別子を隣接セルリストに追加するステップを含むことを特徴とする
請求項１に記載の方法。
【請求項４】
前記ＮＳＡセル及び／又はＳＡセルに対応する識別子情報と属性情報を隣接セルリストに追加する前記ステップは、
前記ＬＴＥセルがデュアル接続をサポートするセルである場合、前記報告情報にＮＳＡセルが含まれる場合、前記報告情報から前記ＮＳＡセルに対応する周波数点、及び物理セル識別子（ＰＣＩ）を取得するステップと、
前記ＮＳＡセルに対応する周波数点及びＰＣＩを隣接セルリストに追加するステップとを含むことを特徴とする
請求項１に記載の方法。
【請求項５】
前記ＮＳＡセル及び／又はＳＡセルに対応する識別子情報と属性情報を隣接セルリストに追加する前記ステップは、
前記ＬＴＥセルがデュアル接続をサポートしないセルである場合、前記報告情報にＳＡセルが含まれる場合、前記報告情報から前記ＳＡセルに対応するグローバルセル一意識別子を取得し、前記ＳＡセルのグローバルセル一意識別子を隣接セルリストに追加するステップを含むことを特徴とする
請求項１に記載の方法。
【請求項６】
前記ＮＳＡセル及び／又はＳＡセルに対応する識別子情報と属性情報を隣接セルリストに追加する場合、前記方法はさらに、
前記ＬＴＥセルがデュアル接続をサポートしないセルである場合、前記報告情報にＮＳＡセルが含まれる場合、前記ＮＳＡセルの情報を保存しないステップを含むことを特徴とする
請求項１に記載の方法。
【請求項７】
前記ＮＳＡセル及び／又はＳＡセルに対応する識別子情報と属性情報を隣接セルリストに追加する前記ステップは、
前記ＬＴＥセルがデュアル接続をサポートするセルである場合、前記報告情報から前記ＳＡセル及び／又はＮＳＡセルに対応するグローバルセル一意識別子を取得し、前記ＳＡセル及び／又はＮＳＡセルに対応するグローバルセル一意識別子を隣接セルリストに追加するステップを含むことを特徴とする
請求項１又は２に記載の方法。
【請求項８】
前記ＮＳＡセル及び／又はＳＡセルに対応する識別子情報と属性情報を隣接セルリストに追加する前記ステップは、
前記ＬＴＥセルがデュアル接続をサポートしないセルである場合、前記報告情報から前記ＳＡセル及び／又はＮＳＡセルに対応するグローバルセル一意識別子を取得し、前記ＳＡセルに対応するグローバルセル一意識別子を隣接セルリストに追加するステップを含むことを特徴とする
請求項１又は２に記載の方法。
【請求項９】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、
ここで、前記ハンドオーバタイプがＸｎ／Ｘ２ハンドオーバとＳ１ハンドオーバを含むことを特徴とする
請求項１に記載の方法。
【請求項１０】
隣接セル配置方法であって、ユーザ機器に適用され、前記方法は、
前記ＬＴＥセルに対応するネットワーク機器へ測定周波数点に対応するターゲットセルの報告情報を送信し、前記ターゲットセルの報告情報にＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであるステップを含む、前記隣接セル配置方法。
【請求項１１】
前記方法はさらに、
前記ＬＴＥセルに配置された測定周波数点を取得し、前記ＬＴＥセルに配置された報告指示を取得し、前記報告指示が、測定周波数点に対して、ＮＡＳであるかそれともＳＡセルであるかの指示、及びセルのグローバルセル一意識別子及び／又はＰＣＩを報告するように前記ＵＥに指示することに用いられるステップを含むことを特徴とする
請求項１０に記載の方法。
【請求項１２】
前記ＬＴＥセルに配置された測定周波数点を取得する前記ステップの後に、前記方法はさらに、
前記測定周波数点に基づいて５Ｇセルの測定を行い、測定された５Ｇセルから、品質が予め設定された条件を満たし且つ前記ＬＴＥセルの隣接セルリストに存在しない、少なくとも１つの５Ｇターゲットセルを選択するステップを含むことを特徴とする
請求項１１に記載の方法。
【請求項１３】
前記方法はさらに、
前記５Ｇターゲットセルのマスタ情報ブロックから、セル禁止アクセススイッチの指示情報を取得するステップと、
前記指示情報が真である場合、前記５ＧターゲットセルがＮＳＡセルであると確定し、そうでない場合、前記５ＧターゲットセルがＳＡセルであると確定するステップとを含むことを特徴とする
請求項１２に記載の方法。
【請求項１４】
前記方法はさらに、
前記５ＧターゲットセルがＳＡセルである場合、前記報告情報に前記ＳＡセルのグローバルセル一意識別子を追加するステップを含むことを特徴とする
請求項１３に記載の方法。
【請求項１５】
前記方法はさらに、
５Ｇターゲットセルのマスタ情報ブロックにおけるセル禁止アクセススイッチの指示情報が真である場合、ＵＥが、前記５ＧターゲットセルがＮＳＡセルであると確定するステップと、
ＮＡＳセルにＲＭＳＩが存在しない場合、ＮＡＳセルの周波数点とＰＣＩをＮＡＳセルのセル識別子として取得するステップと、
ＮＡＳセルにＲＭＳＩが存在する場合、前記ＮＳＡセルのＲＭＳＩから、前記ＮＳＡセルに対応するグローバルセル一意識別子をセル識別子として取得するステップと、
前記報告情報に前記ＮＳＡセルのセル識別子を追加するステップとを含むことを特徴とする
請求項１３に記載の方法。
【請求項１６】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、
ここで、前記ハンドオーバタイプがＸｎ／Ｘ２ハンドオーバとＳ１ハンドオーバを含むことを特徴とする請求項１０に記載の方法。
【請求項１７】
ネットワーク機器であって、
ユーザ機器（ＵＥ）から送信された、測定周波数点に対応するターゲットセルの報告情報を受信するように構成され、前記ターゲットセルの報告情報にＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルである第一の通信ユニットと、
前記報告情報に基づき、前記ＮＳＡセル及び／又はＳＡセルに対応する識別子情報と属性情報を隣接セルリストに追加するように構成される第一の処理ユニットとを備える、前記ネットワーク機器。
【請求項１８】
前記第一の通信ユニットは前記ＵＥに測定周波数点を配置することを特徴とする
請求項１７に記載のネットワーク機器。
【請求項１９】
前記前記ＬＴＥセルがデュアル接続をサポートするセルである場合、前記報告情報にＳＡセルが含まれる場合、前記第一の処理ユニットは、前記報告情報から前記ＳＡセルに対応するグローバルセル一意識別子を取得し、前記ＳＡセルのグローバルセル一意識別子を隣接セルリストに追加することを特徴とする請求項１７に記載のネットワーク機器。
【請求項２０】
前記ＬＴＥセルがデュアル接続をサポートするセルである場合、前記報告情報にＮＳＡセルが含まれる場合、前記第一の処理ユニットは、前記報告情報から前記ＮＳＡセルに対応する周波数点、及び物理セル識別子（ＰＣＩ）を取得し、前記ＮＳＡセルに対応する周波数点及びＰＣＩを隣接セルリストに追加することを特徴とする
請求項１７に記載のネットワーク機器。
【請求項２１】
前記前記ＬＴＥセルがデュアル接続をサポートしないセルである場合、前記報告情報にＳＡセルが含まれる場合、前記第一の処理ユニットは、前記報告情報から前記ＳＡセルに対応するグローバルセル一意識別子を取得し、前記ＳＡセルのグローバルセル一意識別子を隣接セルリストに追加することを特徴とする
請求項１７に記載のネットワーク機器。
【請求項２２】
前記ＬＴＥセルがデュアル接続をサポートしないセルである場合、前記報告情報にＮＳＡセルが含まれる場合、前記第一の処理ユニットは、前記ＮＳＡセルの情報を保存しないことを特徴とする
請求項１７に記載のネットワーク機器。
【請求項２３】
前記ＬＴＥセルがデュアル接続をサポートするセルである場合、前記第一の処理ユニットは、前記報告情報から前記ＳＡセル及び／又はＮＳＡセルに対応するグローバルセル一意識別子を取得し、前記ＳＡセル及び／又はＮＳＡセルに対応するグローバルセル一意識別子を隣接セルリストに追加することを特徴とする
請求項１７又は１８に記載のネットワーク機器。
【請求項２４】
前記ＬＴＥセルがデュアル接続をサポートしないセルである場合、前記第一の処理ユニットは、前記報告情報から前記ＳＡセル及び／又はＮＳＡセルに対応するグローバルセル一意識別子を取得し、前記ＳＡセルに対応するグローバルセル一意識別子を隣接セルリストに追加することを特徴とする
請求項１７又は１８に記載のネットワーク機器。
【請求項２５】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、
ここで、前記ハンドオーバタイプがＸｎ／Ｘ２ハンドオーバとＳ１ハンドオーバを含むことを特徴とする
請求項１７にネットワーク機器。
【請求項２６】
ユーザー機器であって、
前記ＬＴＥセルに対応するネットワーク機器へ測定周波数点に対応するターゲットセルの報告情報を送信するように構成され、前記ターゲットセルの報告情報にＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルである第二の通信ユニットを備える、前記ユーザ機器。
【請求項２７】
前記第二の通信ユニットは、前記ＬＴＥセルに配置された測定周波数点を取得し、前記ＬＴＥセルに配置された報告指示を取得し、前記報告指示が、測定周波数点に対して、ＮＡＳであるかそれともＳＡセルであるかの指示、及びセルのグローバルセル一意識別子及び／又はＰＣＩを報告するように前記ＵＥに指示することに用いられることを特徴とする
請求項２６に記載のユーザ機器。
【請求項２８】
前記ユーザ機器はさらに、
前記測定周波数点に基づいて５Ｇセルの測定を行い、測定された５Ｇセルから、品質が予め設定された条件を満たし且つ前記ＬＴＥセルの隣接セルリストに存在しない、少なくとも１つの５Ｇターゲットセルを選択するように構成される第二の処理ユニットを備えることを特徴とする
請求項２７に記載のユーザ機器。
【請求項２９】
前記処理ユニットは、前記５Ｇターゲットセルのマスタ情報ブロックから、セル禁止アクセススイッチの指示情報を取得し、前記指示情報が真である場合、前記５ＧターゲットセルがＮＳＡセルであると確定し、そうでない場合、前記５ＧターゲットセルがＳＡセルであると確定することを特徴とする
請求項２８に記載のユーザ機器。
【請求項３０】
前記５ＧターゲットセルがＳＡセルである場合、前記第二の処理ユニットは、前記報告情報に前記ＳＡセルのグローバルセル一意識別子を追加することを特徴とする
請求項２９に記載のユーザ機器。
【請求項３１】
前記第二の処理ユニットは、５Ｇターゲットセルのマスタ情報ブロックにおけるセル禁止アクセススイッチの指示情報が真である場合、前記５ＧターゲットセルがＮＳＡセルであると確定し、
ＮＡＳセルにＲＭＳＩが存在しない場合、ＮＡＳセルの周波数点とＰＣＩをＮＡＳセルのセル識別子として取得し、
ＮＡＳセルにＲＭＳＩが存在する場合、前記ＮＳＡセルのＲＭＳＩから、前記ＮＳＡセルに対応するグローバルセル一意識別子をセル識別子として取得し、
前記報告情報に前記ＮＳＡセルのセル識別子を追加することを特徴とする
請求項２９に記載のユーザ機器。
【請求項３２】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、
ここで、前記ハンドオーバタイプがＸｎ／Ｘ２ハンドオーバとＳ１ハンドオーバを含むことを特徴とする
請求項２６にユーザ機器。
【請求項３３】
ネットワーク機器であって、プロセッサと、プロセッサで実行可能なコンピュータプログラムを記憶するためのメモリとを備え、
ここで、前記プロセッサが前記コンピュータプログラムを実行する時に、請求項１−９のいずれか一項に記載される方法のステップを実行するように構成される、前記ネットワーク機器。
【請求項３４】
ユーザ機器であって、プロセッサと、プロセッサで実行可能なコンピュータプログラムを記憶するためのメモリとを備え、
ここで、前記プロセッサが前記コンピュータプログラムを実行する時に、請求項１０−１６のいずれか一項に記載される方法のステップを実行するように構成される、前記ネットワーク機器。
【請求項３５】
コンピュータ記憶媒体であって、コンピュータ実行可能命令を記憶し、前記コンピュータ実行可能命令が実行される時に、請求項１−１６のいずれか一項に記載される方法のステップを実現する、前記コンピュータ記憶媒体。
【発明の詳細な説明】
【技術分野】
【０００１】
本発明は情報処理技術分野に関し、特に隣接セル配置方法、ネットワーク機器、ＵＥ機器（ＵＥ）及びコンピュータ記憶媒体に関する。
【背景技術】
【０００２】
５Ｇブロードバンドセルのブロードバンドキャリア全体に、複数の所定セルのＳＳＢ（同期信号ブロック）の配置を定義して送信している。アイドル状態にあるＵＥは、受信の帯域幅がブロードバンドセルの帯域幅ほど大きくないため、一つの所定セルのＳＳＢを検出した後、システムブロードキャスト情報を取得してキャンプオンする。したがって、５Ｇブロードバンドセルのブロードバンドキャリア全体において、アイドル状態にあるＵＥは、全ての所定セルのＳＳＢの所在する周波数点にランダムに分布する。
【０００３】
ＬＴＥ  ＡＮＲ隣接セルリストには、同一システムｉｎｔｒａ−ＬＴＥのセル隣接関係、及びシステム間ｉｎｔｅｒ−ＲＡＴの隣接関係が含まれる。ＮＲネットワークのデプロイに伴い、ＮＲセルもＬＴＥ  ｉｎｔｅｒ−ＲＡＴの隣接関係で維持する必要がある。しかし、現在の５Ｇシステムのセルは、ＬＴＥ隣接セルリストに配置漏れの場合があり、しかも５Ｇシステムセルが非スタンドアローン（ＮＳＡ：ｎｏｎ−ｓｔａｎｄ−ａｌｏｎｅ）５Ｇセルであるか、スタンドアローン（ＳＡ：ｓｔａｎｄ  ａｌｏｎｅ）５Ｇセルであるかを知る由もない。
【発明の概要】
【発明が解決しようとする課題】
【０００４】
上記技術的問題を解決するために、本発明の実施形態は、隣接セル配置方法、ネットワーク機器、ユーザ機器（ＵＥ）及びコンピュータ記憶媒体を提供する。
【課題を解決するための手段】
【０００５】
本発明の実施形態による隣接セル配置方法は、ネットワーク機器に適用され、前記方法は、
ユーザ機器（ＵＥ）から送信された、測定周波数点に対応するターゲットセルの報告情報を受信し、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルであるステップと、
前記報告情報に基づき、前記ＮＳＡセル及び／又はＳＡセルに対応する識別子情報と属性情報を隣接セルリストに追加するステップとを含む。
【０００６】
本発明の実施形態による隣接セル配置方法は、ユーザ機器に適用され、前記方法は、
前記ＬＴＥセルに対応するネットワーク機器へ測定周波数点に対応するターゲットセルの報告情報を送信し、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであるステップを含む。
【０００７】
本発明の実施形態によるネットワーク機器は、
ユーザ機器（ＵＥ）から送信された、測定周波数点に対応するターゲットセルの報告情報を受信するように構成され、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルである第一の通信ユニットと、
前記報告情報に基づき、前記ＮＳＡセル及び／又はＳＡセルに対応する識別子情報と属性情報を隣接セルリストに追加するように構成される第一の処理ユニットとを備える。
【０００８】
本発明の実施形態によるネットワーク機器は、
前記ＬＴＥセルに対応するネットワーク機器へ測定周波数点に対応するターゲットセルの報告情報を送信するように構成され、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルである第二の通信ユニットを備える。
【０００９】
本発明の実施形態によるネットワーク機器はプロセッサと、プロセッサで実行可能なコンピュータプログラムを記憶するように構成されるメモリとを備え、
ここで、前記プロセッサが前記コンピュータプログラムを実行する時に、前記方法のステップを実行するように構成される。
【００１０】
本発明の実施形態によるユーザ機器（ＵＥ）はプロセッサと、プロセッサで実行可能なコンピュータプログラムを記憶するように構成されるメモリとを備え、
ここで、前記プロセッサが前記コンピュータプログラムを実行する時に、前記方法のステップを実行するように構成される。
【００１１】
本発明の実施形態によるコンピュータ記憶媒体は、コンピュータ実行可能命令を記憶し、前記コンピュータ実行可能命令が実行される時に、前記方法のステップを実現する。
【発明の効果】
【００１２】
本発明の実施形態の考案によれば、ＵＥは、現在のＬＴＥシステムにおける、隣接セルリストに配置されていない配置漏れの隣接セルをネットワーク側に報告し、該配置されていない配置漏れの隣接セルのＳＡ、ＮＳＡ指示、及び識別子情報のそれぞれをネットワーク側に報告することができ、これにより、ネットワーク側ＬＴＥシステムはＬＴＥセルの隣接関係を完備することができ、さらにハンドオーバ成功率、及びＬＴＥとＮＲの間の密な連携（ｔｉｇｈｔ  ｉｎｔｅｒｗｏｒｋｉｎｇ）動作モードの配置の合理性を向上させることができる。
【図面の簡単な説明】
【００１３】
【図１】本発明の実施形態による隣接セル配置方法のフローチャート１である。
【図２】本発明の実施形態による隣接セル配置方法のフローチャート２である。
【図３】本発明の実施形態によるネットワーク機器の構成構造図である。
【図４】本発明の実施形態によるユーザ機器の構成構造図である。
【図５】本発明の実施形態によるハードウェアアーキテクチャ図である。
【発明を実施するための形態】
【００１４】
本発明の実施形態の特徴と技術内容をより詳しく理解することができるために、以下に図面と組み合わせて本発明の実施形態の実現を詳しく説明し、添付の図面が例示のみを目的としており、本発明の実施形態を限定することに用いられない。
【００１５】
実施形態１、
本発明の実施形態による隣接セル配置方法は、ネットワーク機器に適用され、図１に示すように、前記方法は、
ユーザ機器（ＵＥ）から送信された、測定周波数点に対応するターゲットセルの報告情報を受信し、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルであるステップ１０１と、
前記報告情報に基づき、前記ＮＳＡセル及び／又はＳＡセルに対応する識別子情報と属性情報を隣接セルリストに追加するステップ１０２とを含む。
【００１６】
ここで、前記ネットワーク機器は、少なくとも１つのＬＴＥセルを管理するためのネットワーク機器、例えば基地局ｅＮＢであってもよい。
【００１７】
さらに、前記ステップ１０１を実行する前に、前記方法はさらに、
前記ＵＥに測定周波数点を配置するステップを含む。具体的には、前記ネットワーク機器の前記ＬＴＥセルによって前記ＵＥに対して測定周波数点を配置し、さらに具体的には、前記配置される測定周波数点は５Ｇシステムの周波数点である。ここで、配置される測定周波数点は、現在のＬＴＥセルのネットワーク機器側が隣接セルリストに保存していない周波数点であってもよい。
【００１８】
それに対応して、ＵＥは、ネットワーク機器、即ちＬＴＥセルに配置された５Ｇの測定周波数点に基づいて測定し、次にネットワーク機器に測定結果を報告することができ、該測定結果が報告情報に含まれる。ここで、ＵＥは、報告する前に、該５Ｇの測定周波数点の複数のセルを測定して取得する可能性があり、ＵＥは、前記複数のセルをスクリーニングし、信号強度が最も強い１つ又は複数の５Ｇセルを取得し、且つ隣接セルリストに存在するか否かを判定し、隣接セルリストに存在しない場合、ネットワーク機器に報告する。
【００１９】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、ここで、前記ハンドオーバタイプがＸｎ／Ｘ２ハンドオーバとＳ１ハンドオーバを含む。
【００２０】
以下で複数のシナリオに分けて本解決策を具体的に説明する。
【００２１】
シナリオ１：
まず前記の幾つステップを実行することは、ＬＴＥ基地局がＵＥに５Ｇのある測定周波数点を配置するステップと、ＵＥが該５Ｇ周波数点の測定結果を報告し、１つの最も強く且つＬＴＥ基地局の隣接セルリストに存在しないセルを報告するステップを含む。
【００２２】
ＬＴＥセルの基地局（即ちネットワーク機器）は、ＵＥに対して測定を配置する時に、該周波数点と物理セル識別子（ＰＣＩ：Ｐｈｙｓｉｃａｌ  Ｃｅｌｌ  Ｉｄｅｎｔｉｔｙ）に対して、測定して該セルがＮＳＡセルであるかそれともＳＡセルであるかの指示、及び該セルのグローバルセル一意識別子を報告するようにＵＥを配置する。
【００２３】
ＵＥがどのように５ＧセルがＮＳＡセルであるかそれともＳＡセルであるかを知るかの方法については、ＵＥは前記５Ｇターゲットセルのマスタ情報ブロックを受信することによって、それを把握することができ、例えば、ＭＩＢにおけるセル禁止（ｃｅｌｌ  ｂａｒｒｅｄ）が真（ｔｒｕｅ）に設定される場合、ＵＥは、該セルがＮＳＡセルであることを示す指示を報告し、ターゲットセルのＭＩＢにおけるセル禁止（ｃｅｌｌ  ｂａｒｒｅｄ）が偽（ｆａｌｓｅ）に設定される場合、ＵＥは該セルがＳＡセルであることを示す指示を報告し、同時にＵＥはさらに該ターゲットセルのグローバルセル一意識別子を報告する。
【００２４】
前記ＮＳＡセル及び／又はＳＡセルに対応する識別子情報と属性情報を隣接セルリストに追加する前記ステップは、
前記ＬＴＥセルがデュアル接続をサポートするセルである場合、前記報告情報にＳＡセルが含まれる場合、前記報告情報から前記ＳＡセルに対応するグローバルセル一意識別子を取得し、前記ＳＡセルのグローバルセル一意識別子を隣接セルリストに追加することを含む。
【００２５】
前記ＬＴＥセルがデュアル接続をサポートするセルである場合、前記報告情報にＮＳＡセルが含まれる場合、前記報告情報から前記ＮＳＡセルに対応する周波数点、及び物理セル識別子（ＰＣＩ）を取得し、前記ＮＳＡセルに対応する周波数点及びＰＣＩを隣接セルリストに追加する。
【００２６】
ＬＴＥセルがＥＮ−ＤＣをサポートする場合、ＵＥは、ＳＡ又はＮＡＳ指示を報告し、ＳＡセルの場合、ＵＥはさらにグローバルセル一意識別子を報告する。ＬＴＥ基地局はＳＡ、ＮＡＳ指示、及びＳＡセルのグローバルセル一意識別子、ＮＡＳセルのｆｒｅｑｕｅｎｃｙ＋ＰＣＩを隣接関係に記録する。
【００２７】
前記ＮＳＡセル及び／又はＳＡセルに対応する識別子情報と属性情報を隣接セルリストに追加する前記ステップは、
前記ＬＴＥセルがデュアル接続をサポートしないセルである場合、前記報告情報にＳＡセルが含まれる場合、前記報告情報から前記ＳＡセルに対応するグローバルセル一意識別子を取得し、前記ＳＡセルのグローバルセル一意識別子を隣接セルリストに追加することと、
及び、前記ＬＴＥセルがデュアル接続をサポートしないセルである場合、前記報告情報にＮＳＡセルが含まれる場合、前記ＮＳＡセルの情報を保存しないこととを含む。
【００２８】
つまり、ＬＴＥセルがＥＮ−ＤＣをサポートしない場合、ＵＥは、ＳＡ又はＮＡＳ指示を報告し、ＳＡセルの場合、ＵＥはさらにグローバルセル一意識別子を報告する。ＬＴＥ基地局はＳＡ、ＮＡＳ指示、及びＳＡセルのグローバルセル一意識別子を隣接セルリストに追加するが、ＮＡＳセルの場合、隣接セルリストに追加しない。
【００２９】
シナリオ２：
まず前記幾つかのステップを実行することは、ＬＴＥ基地局がＵＥに５Ｇのある測定周波数点を配置するステップ、ＵＥが該５Ｇ周波数点の測定結果を報告し、１つの最も強く且つＬＴＥ基地局の隣接セルリストに存在しないセルを報告するステップを含む。
【００３０】
ＬＴＥセルの基地局（即ちネットワーク機器）は、ＵＥに対して測定を配置する時に、該周波数点と物理セル識別子（ＰＣＩ：Ｐｈｙｓｉｃａｌ  Ｃｅｌｌ  Ｉｄｅｎｔｉｔｙ）に対して、測定して該セルがＮＳＡセルであるかそれともＳＡセルであるかの指示、及び該セルのグローバルセル一意識別子を報告するようにＵＥを配置する。
【００３１】
ＵＥがどのように５ＧセルがＮＳＡセルであるかそれともＳＡセルであるかを知るかの方法については、ターゲットセルのＭＩＢにおけるセル禁止（ｃｅｌｌ  ｂａｒｒｅｄ）が真（ｔｒｕｅ）に設定される場合、ＵＥは、該セルがＮＳＡセルであることを示す指示を報告し、同時に該セルのＲＭＳＩで該セルのグローバルセル一意識別子のみが報告される。ＵＥは該セルのグローバルセル一意識別子を取得してＬＴＥセルに報告する。ターゲットセルのＭＩＢにおけるセル禁止（ｃｅｌｌ  ｂａｒｒｅｄ）が偽（ｆａｌｓｅ）に設定される場合、ＵＥは、該セルがＳＡセルであることを示す指示を報告し、同時にＵＥはさらに該ターゲットセルのグローバルセル一意識別子を報告する。
【００３２】
前記ＮＳＡセル及び／又はＳＡセルに対応する識別子情報と属性情報を隣接セルリストに追加する前記ステップは、前記ＬＴＥセルがデュアル接続をサポートするセルである場合、前記報告情報から前記ＳＡセル及び／又はＮＳＡセルに対応するグローバルセル一意識別子を取得し、前記ＳＡセル及び／又はＮＳＡセルに対応するグローバルセル一意識別子を隣接セルリストに追加することを含む。
【００３３】
つまり、ＬＴＥセルがＥＮ−ＤＣをサポートする場合、ＬＴＥ基地局はＳＡ、ＮＡＳ指示、及びＮＡＳ、ＳＡセルのグローバルセル一意識別子を隣接関係に記録する。
【００３４】
前記ＬＴＥセルがデュアル接続をサポートしないセルである場合、前記報告情報から前記ＳＡセル及び／又はＮＳＡセルに対応するグローバルセル一意識別子を取得し、前記ＳＡセルに対応するグローバルセル一意識別子を隣接セルリストに追加する。
【００３５】
ＬＴＥセルがＥＮ−ＤＣをサポートしない場合、ＵＥは、ＳＡ又はＮＡＳ指示を報告し、ＵＥはさらにグローバルセル一意識別子を報告する。ＬＴＥ基地局はＳＡ、ＮＡＳ指示、及びＳＡセルのグローバルセル一意識別子を隣接セルリストに追加するが、ＮＡＳセルの場合、隣接セルに追加しない。
【００３６】
これから分かるように、上記解決策を採用することにより、ＵＥは現在のＬＴＥシステムにおける、隣接セルリストに配置されていない配置漏れの隣接セルをネットワーク側に報告し、該配置されていない配置漏れの隣接セルのＳＡ、ＮＳＡ指示、及び識別子情報のそれぞれをネットワーク側に報告することができ、これにより、ネットワーク側ＬＴＥシステムはＬＴＥセルの隣接関係を完備することができ、さらにハンドオーバ成功率、及びＬＴＥとＮＲの間の密な連携（ｔｉｇｈｔ  ｉｎｔｅｒｗｏｒｋｉｎｇ）動作モードの配置の合理性を向上させることができる。
【００３７】
実施形態２、
本発明の実施形態による隣接セル配置方法は、ユーザ機器に適用され、前記方法は、
前記ＬＴＥセルに対応するネットワーク機器へ測定周波数点に対応するターゲットセルの報告情報を送信し、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであるステップを含む。
【００３８】
ここで、前記ネットワーク機器は、少なくとも１つのＬＴＥセルを管理するためのネットワーク機器、例えば基地局ｅＮＢであってもよい。
【００３９】
さらに、図２と組み合わせて、本実施形態の詳細な処理プロセスが提供し、前記方法は、以下のステップを含む。
【００４０】
ステップ２０１において、前記ＬＴＥセルに配置された測定周波数点を取得し、前記ＬＴＥセルに配置された報告指示を取得し、前記報告指示が、測定周波数点に対して、ＮＡＳであるかそれともＳＡセルであるかの指示、及びセルのグローバルセル一意識別子及び／又はＰＣＩを報告するように前記ＵＥに指示することに用いられる。
【００４１】
ステップ２０２において、前記測定周波数点に基づいて５Ｇセルの測定を行い、測定された５Ｇセルから、品質が予め設定された条件を満たし且つ前記ＬＴＥセルの隣接セルリストに存在しない、少なくとも１つの５Ｇターゲットセルを選択し、前記予め設定された条件が、前記５Ｇセルの信号強度が予め設定された閾値よりも高いことであってもよく、又は、測定して得られる複数の５Ｇセルのうちの先頭のＮ個のセルであってもよく、例えば先頭の２つのセル、当然それより多くのセルであってもよく、ここで説明を省略しない。
【００４２】
ステップ２０３において、ＬＴＥセルに対応するネットワーク機器へ測定周波数点に対応するターゲットセルの報告情報を送信し、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルである。
【００４３】
前記ＵＥに測定周波数点を配置する。具体的には、前記ネットワーク機器の前記ＬＴＥセルによって前記ＵＥに測定周波数点を配置し、且つ、さらに具体的には、前記配置される測定周波数点は５Ｇシステムの周波数点である。ここで、配置される測定周波数点は、現在のＬＴＥセルのネットワーク機器側における隣接セルリストに保存されていない周波数点であってもよい。
【００４４】
それに対応して、ＵＥは、ネットワーク機器、即ちＬＴＥセルに配置された５Ｇの測定周波数点に基づいて測定し、次にネットワーク機器に測定結果を報告し、該測定結果が報告情報に含まれる。ここで、ＵＥは、報告する前に、該５Ｇの測定周波数点の複数のセルを測定して取得する可能性があり、ＵＥは、前記複数のセルをスクリーニングし、信号強度が最も強い１つ又は複数の５Ｇセルを取得し、且つ隣接セルリストに存在するか否かを判定し、隣接セルリストに存在しない場合、ネットワーク機器に報告する。
【００４５】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、ここで、前記ハンドオーバタイプがＸｎ／Ｘ２ハンドオーバとＳ１ハンドオーバを含む。
【００４６】
本実施形態の具体的な処理スキームは以下のとおりである。
【００４７】
まず、ＬＴＥ基地局がＵＥに５Ｇのある測定周波数点を配置するステップ、ＵＥが該５Ｇ周波数点の測定結果を報告し、１つの最も強く且つＬＴＥ基地局の隣接セルリストに存在しないセル（又は複数の最も強いセル）を報告するステップを含むいくつかのステップを実行する。
【００４８】
ＬＴＥセルの基地局（即ちネットワーク機器）は、ＵＥに対して測定を配置する時に、該周波数点と物理セル識別子（ＰＣＩ：Ｐｈｙｓｉｃａｌ  Ｃｅｌｌ  Ｉｄｅｎｔｉｔｙ）に対して、測定して該セルがＮＳＡセルであるかそれともＳＡセルであるかの指示、及び該セルのグローバルセル一意識別子を報告するようにＵＥを配置する
ＵＥがどのように５ＧセルがＮＳＡセルであるかそれともＳＡセルであるかを知るかの方法については、前記５Ｇターゲットセルのマスタ情報ブロックから、セル禁止アクセススイッチの指示情報を取得し、前記指示情報が真である場合、前記５ＧターゲットセルがＮＳＡセルであると確定し、そうでない場合、前記５ＧターゲットセルがＳＡセルであると確定する。
【００４９】
つまり、ＵＥは前記５Ｇターゲットセルのマスタ情報ブロックを受信することで知ることができ、例えば、ＭＩＢにおけるセル禁止（ｃｅｌｌ  ｂａｒｒｅｄ）が真（ｔｒｕｅ）に設定される場合、ＵＥは、該セルがＮＳＡセルであることを示す指示を報告し、ターゲットセルのＭＩＢにおけるセル禁止（ｃｅｌｌ  ｂａｒｒｅｄ）が偽（ｆａｌｓｅ）に設定される場合、ＵＥは該セルがＳＡセルであることを示す指示を報告し、同時にＵＥはさらに該ターゲットセルのグローバルセル一意識別子を報告する。さらに、前記５ＧターゲットセルがＳＡセルである場合、前記報告情報に前記ＳＡセルのグローバルセル一意識別子を追加する。
【００５０】
５Ｇターゲットセルのマスタ情報ブロックにおけるセル禁止アクセススイッチの指示情報が真である場合、ＵＥは前記５ＧターゲットセルがＮＳＡセルであると確定する。
【００５１】
ＮＡＳセルにＲＭＳＩが存在しない場合、ＮＡＳセルの周波数点とＰＣＩをＮＡＳセルのセル識別子として取得する。
【００５２】
ＮＡＳセルにＲＭＳＩが存在する場合、前記ＮＳＡセルのＲＭＳＩから、前記ＮＳＡセルに対応するグローバルセル一意識別子をセル識別子として取得する。
【００５３】
前記報告情報に前記ＮＳＡセルのセル識別子を追加する。
【００５４】
これから分かるように、上記解決策を採用することにより、ＵＥは現在のＬＴＥシステムにおける、隣接セルリストに配置されていない配置漏れの隣接セルをネットワーク側に報告し、該配置されていない配置漏れの隣接セルのＳＡ、ＮＳＡ指示、及び識別子情報のそれぞれをネットワーク側に報告することができ、これにより、ネットワーク側ＬＴＥシステムはＬＴＥセルの隣接関係を完備することができ、さらにハンドオーバ成功率、及びＬＴＥとＮＲの間の密な連携（ｔｉｇｈｔ  ｉｎｔｅｒｗｏｒｋｉｎｇ）動作モードの配置の合理性を向上させることができる。
【００５５】
実施形態３、
本発明の実施形態によるネットワーク機器は、図３に示すように、
ユーザ機器（ＵＥ）から送信された、測定周波数点に対応するターゲットセルの報告情報を受信するように構成され、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルである第一の通信ユニット３１と、
前記報告情報に基づき、前記ＮＳＡセル及び／又はＳＡセルに対応する識別子情報と属性情報を隣接セルリストに追加するように構成される第一の処理ユニット３２とを備える。
【００５６】
ここで、前記ネットワーク機器は、少なくとも１つのＬＴＥセルを管理するためのネットワーク機器、例えば基地局ｅＮＢであってもよい。
【００５７】
さらに、第一の通信ユニット３１は、前記ＵＥに測定周波数点を配置する。具体的には、前記ネットワーク機器の前記ＬＴＥセルによって前記ＵＥに測定周波数点を配置し、且つ、さらに具体的には、前記配置される測定周波数点は５Ｇシステムの周波数点である。ここで、配置される測定周波数点は、現在のＬＴＥセルのネットワーク機器側における隣接セルリストに保存されていない周波数点であってもよい。
【００５８】
それに対応して、ＵＥは、ネットワーク機器、即ちＬＴＥセルに配置された５Ｇの測定周波数点に基づいて測定し、次にネットワーク機器に測定結果を報告し、該測定結果が報告情報に含まれる。ここで、ＵＥは、報告する前に、該５Ｇの測定周波数点の複数のセルを測定して取得する可能性があり、ＵＥは、前記複数のセルをスクリーニングし、信号強度が最も強い１つ又は複数の５Ｇセルを取得し、且つ隣接セルリストに存在するか否かを判定し、隣接セルリストに存在しない場合、ネットワーク機器に報告する。
【００５９】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、ここで、前記ハンドオーバタイプがＸｎ／Ｘ２ハンドオーバとＳ１ハンドオーバを含む。
【００６０】
以下で複数のシナリオに分けて本解決策を具体的に説明する。
【００６１】
シナリオ１：
まず、ＬＴＥ基地局がＵＥに５Ｇのある測定周波数点を配置するステップ、ＵＥが該５Ｇ周波数点の測定結果を報告し、１つの最も強く且つＬＴＥ基地局の隣接セルリストに存在しないセルを報告するステップを含む上記処理を実行する。
【００６２】
ＬＴＥセルの基地局（即ちネットワーク機器）は、ＵＥに対して測定を配置する時に、該周波数点と物理セル識別子（ＰＣＩ：Ｐｈｙｓｉｃａｌ  Ｃｅｌｌ  Ｉｄｅｎｔｉｔｙ）に対して、測定して該セルがＮＳＡセルであるかそれともＳＡセルであるかの指示、及び該セルのグローバルセル一意識別子を報告するようにＵＥを配置する
ＵＥがどのように５ＧセルがＮＳＡセルであるかそれともＳＡセルであるかを知るかの方法については、ＵＥは前記５Ｇターゲットセルのマスタ情報ブロックを受信することによって、それを把握することができ、例えば、ＭＩＢにおけるセル禁止（ｃｅｌｌ  ｂａｒｒｅｄ）が真（ｔｒｕｅ）に設定される場合、ＵＥは、該セルがＮＳＡセルであることを示す指示を報告し、ターゲットセルのＭＩＢにおけるセル禁止（ｃｅｌｌ  ｂａｒｒｅｄ）が偽（ｆａｌｓｅ）に設定される場合、ＵＥは該セルがＳＡセルであることを示す指示を報告し、同時にＵＥはさらに該ターゲットセルのグローバルセル一意識別子を報告する。
【００６３】
前記ＬＴＥセルがデュアル接続をサポートするセルである場合、前記報告情報にＳＡセルが含まれる場合、前記第一の処理ユニット３２は、前記報告情報から前記ＳＡセルに対応するグローバルセル一意識別子を取得し、前記ＳＡセルのグローバルセル一意識別子を隣接セルリストに追加する。
【００６４】
前記ＬＴＥセルがデュアル接続をサポートするセルである場合、前記報告情報にＮＳＡセルが含まれる場合、前記報告情報から前記ＮＳＡセルに対応する周波数点、及び物理セル識別子（ＰＣＩ）を取得し、前記ＮＳＡセルに対応する周波数点及びＰＣＩを隣接セルリストに追加する。
【００６５】
即ち、ＬＴＥセルがＥＮ−ＤＣをサポートする場合、ＵＥは、ＳＡ又はＮＡＳ指示を報告し、ＳＡセルの場合、ＵＥはさらにグローバルセル一意識別子を報告する。ＬＴＥ基地局はＳＡ、ＮＡＳ指示、及びＳＡセルのグローバルセル一意識別子、ＮＡＳセルのｆｒｅｑｕｅｎｃｙ＋ＰＣＩを隣接関係に記録する。
【００６６】
前記前記ＬＴＥセルがデュアル接続をサポートしないセルである場合、前記報告情報にＳＡセルが含まれる場合、前記第一の処理ユニット３２は、前記報告情報から前記ＳＡセルに対応するグローバルセル一意識別子を取得し、前記ＳＡセルのグローバルセル一意識別子を隣接セルリストに追加する。
【００６７】
また、前記ＬＴＥセルがデュアル接続をサポートしないセルである場合、前記報告情報にＮＳＡセルが含まれる場合、前記ＮＳＡセルの情報を保存しない。
【００６８】
即ち、ＬＴＥセルがＥＮ−ＤＣをサポートしない場合、ＵＥは、ＳＡ又はＮＡＳ指示を報告し、ＳＡセルの場合、ＵＥはさらにグローバルセル一意識別子を報告する。ＬＴＥ基地局はＳＡ、ＮＡＳ指示、及びＳＡセルのグローバルセル一意識別子を隣接セルリストに追加するが、ＮＡＳセルの場合、隣接セルリストに追加しない。
【００６９】
シナリオ２：
まず、ＬＴＥ基地局がＵＥに５Ｇのある測定周波数点を配置するステップ、ＵＥが該５Ｇ周波数点の測定結果を報告し、１つの最も強く且つＬＴＥ基地局の隣接セルリストに存在しないセルを報告するステップを含む上記処理を実行する。
【００７０】
ＬＴＥセルの基地局（即ちネットワーク機器）は、ＵＥに対して測定を配置する時に、該周波数点と物理セル識別子（ＰＣＩ：Ｐｈｙｓｉｃａｌ  Ｃｅｌｌ  Ｉｄｅｎｔｉｔｙ）に対して、測定して該セルがＮＳＡセルであるかそれともＳＡセルであるかの指示、及び該セルのグローバルセル一意識別子を報告するようにＵＥを配置する
ＵＥがどのように５ＧセルがＮＳＡセルであるかそれともＳＡセルであるかを知るかの方法については、ターゲットセルのＭＩＢにおけるセル禁止（ｃｅｌｌ  ｂａｒｒｅｄ）が真（ｔｒｕｅ）に設定される場合、ＵＥは、該セルがＮＳＡセルであることを示す指示を報告し、同時に該セルのＲＭＳＩで該セルのグローバルセル一意識別子のみが報告される。ＵＥは該セルのグローバルセル一意識別子を取得してＬＴＥセルに報告する。ターゲットセルのＭＩＢにおけるセル禁止（ｃｅｌｌ  ｂａｒｒｅｄ）が偽（ｆａｌｓｅ）に設定される場合、ＵＥは、該セルがＳＡセルであることを示す指示を報告し、同時にＵＥはさらに該ターゲットセルのグローバルセル一意識別子を報告する。
【００７１】
前記ＬＴＥセルがデュアル接続をサポートするセルである場合、前記第一の処理ユニット３２は、前記報告情報から前記ＳＡセル及び／又はＮＳＡセルに対応するグローバルセル一意識別子を取得し、前記ＳＡセル及び／又はＮＳＡセルに対応するグローバルセル一意識別子を隣接セルリストに追加する。
【００７２】
つまり、ＬＴＥセルがＥＮ−ＤＣをサポートする場合、ＬＴＥ基地局はＳＡ、ＮＡＳ指示、及びＮＡＳ、ＳＡセルのグローバルセル一意識別子を隣接関係に記録する。
【００７３】
前記ＬＴＥセルがデュアル接続をサポートしないセルである場合、前記報告情報から前記ＳＡセル及び／又はＮＳＡセルに対応するグローバルセル一意識別子を取得し、前記ＳＡセルに対応するグローバルセル一意識別子を隣接セルリストに追加する。
【００７４】
即ち、ＬＴＥセルがＥＮ−ＤＣをサポートしない場合、ＵＥは、ＳＡ又はＮＡＳ指示を報告し、ＵＥはさらにグローバルセル一意識別子を報告する。ＬＴＥ基地局はＳＡ、ＮＡＳ指示、及びＳＡセルのグローバルセル一意識別子を隣接セルリストに追加するが、ＮＡＳセルの場合、隣接セルリストに追加しない。
【００７５】
ここれから分かるように、上記解決策を採用することにより、ＵＥは現在のＬＴＥシステムにおける、隣接セルリストに配置されていない配置漏れの隣接セルをネットワーク側に報告し、該配置されていない配置漏れの隣接セルのＳＡ、ＮＳＡ指示、及び識別子情報のそれぞれをネットワーク側に報告することができ、これにより、ネットワーク側ＬＴＥシステムはＬＴＥセルの隣接関係を完備することができ、さらにハンドオーバ成功率、及びＬＴＥとＮＲの間の密な連携（ｔｉｇｈｔ  ｉｎｔｅｒｗｏｒｋｉｎｇ）動作モードの配置の合理性を向上させることができる。
【００７６】
実施形態４
本発明の実施形態によるユーザ機器は、図４に示すように、
前記ＬＴＥセルに対応するネットワーク機器へ測定周波数点に対応するターゲットセルの報告情報を送信するように構成され、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しないセルである第二の通信ユニット４１を備える。
【００７７】
ここで、前記ネットワーク機器は、少なくとも１つのＬＴＥセルを管理するためのネットワーク機器、例えば基地局ｅＮＢであってもよい。
【００７８】
さらに、前記第二の通信ユニットは、前記ＬＴＥセルに配置された測定周波数点を取得し、前記ＬＴＥセルに配置された報告指示を取得し、前記報告指示が、測定周波数点に対して、ＮＡＳであるかそれともＳＡセルであるかの指示、及びセルのグローバルセル一意識別子及び／又はＰＣＩを報告するように前記ＵＥに指示することに用いられる。
【００７９】
前記ユーザ機器は、さらに前記測定周波数点に基づいて５Ｇセルの測定を行い、測定された５Ｇセルから、品質が予め設定された条件を満たし且つ前記ＬＴＥセルの隣接セルリストに存在しない、少なくとも１つの５Ｇターゲットセルを選択するように構成される第二の処理ユニット４２を備え、前記予め設定された条件が、前記５Ｇセルの信号強度が予め設定された閾値よりも高いことであってもよく、又又は、測定して得られる複数の５Ｇセルのうちの先頭のＮ個のセルであってもよく、例えば先頭の２つのセル、当然それより多くのセルであってもよく、ここで説明を省略しない。
【００８０】
前記第二の通信ユニットは、ＬＴＥセルに対応するネットワーク機器へ測定周波数点に対応するターゲットセルの報告情報を送信し、前記ターゲットセルの報告情報に前記ＮＳＡセル及び／又はＳＡセルの識別子情報及び属性情報が少なくとも含まれ、前記ＮＳＡセル及び前記ＳＡセルがいずれもＬＴＥセルの隣接セルリストに存在しない。
【００８１】
前記ＵＥに測定周波数点を配置する。具体的には、前記ネットワーク機器の前記ＬＴＥセルによって前記ＵＥに測定周波数点を配置し、且つ、さらに具体的には、前記配置される測定周波数点は５Ｇシステムの周波数点である。ここで、配置される測定周波数点は、現在のＬＴＥセルのネットワーク機器側における隣接セルリストに保存されていない周波数点であってもよい。
【００８２】
それに対応して、ＵＥは、ネットワーク機器、即ちＬＴＥセルに配置された５Ｇの測定周波数点に基づいて測定し、次にネットワーク機器に測定結果を報告し、該測定結果が報告情報に含まれる。ここで、ＵＥは、報告する前に、該５Ｇの測定周波数点の複数のセルを測定して取得する可能性があり、ＵＥは、前記複数のセルをスクリーニングし、信号強度が最も強い１つ又は複数の５Ｇセルを取得し、且つ隣接セルリストに存在するか否かを判定し、隣接セルリストに存在しない場合、ネットワーク機器に報告する。
【００８３】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、ここで、前記ハンドオーバタイプがＸｎ／Ｘ２ハンドオーバとＳ１ハンドオーバを含む。
【００８４】
まず、ＬＴＥ基地局がＵＥに５Ｇのある測定周波数点を配置するステップ、ＵＥが該５Ｇ周波数点の測定結果を報告し、１つの最も強く且つＬＴＥ基地局の隣接セルリストに存在しないセル（又は複数の最も強いセル）を報告するステップを含む上記処理を実行する。
【００８５】
ＬＴＥセルの基地局（即ちネットワーク機器）は、ＵＥに対して測定を配置する時に、該周波数点と物理セル識別子（ＰＣＩ：Ｐｈｙｓｉｃａｌ  Ｃｅｌｌ  Ｉｄｅｎｔｉｔｙ）に対して、測定して該セルがＮＳＡセルであるかそれともＳＡセルであるかの指示、及び該セルのグローバルセル一意識別子を報告するようにＵＥを配置する。
【００８６】
ＵＥがどのように５ＧセルがＮＳＡセルであるかそれともＳＡセルであるかを知るかの方法については、前記５Ｇターゲットセルのマスタ情報ブロックから、セル禁止アクセススイッチの指示情報を取得し、前記指示情報が真である場合、前記５ＧターゲットセルがＮＳＡセルであると確定し、そうでない場合、前記５ＧターゲットセルがＳＡセルであると確定する。
【００８７】
つまり、ＵＥは前記５Ｇターゲットセルのマスタ情報ブロックを受信することで知ることができ、例えば、ＭＩＢにおけるセル禁止（ｃｅｌｌ  ｂａｒｒｅｄ）が真（ｔｒｕｅ）に設定される場合、ＵＥは、該セルがＮＳＡセルであることを示す指示を報告し、ターゲットセルのＭＩＢにおけるセル禁止（ｃｅｌｌ  ｂａｒｒｅｄ）が偽（ｆａｌｓｅ）に設定される場合、ＵＥは該セルがＳＡセルであることを示す指示を報告し、同時にＵＥはさらに該ターゲットセルのグローバルセル一意識別子を報告する。さらに、前記５ＧターゲットセルがＳＡセルである場合、前記報告情報に前記ＳＡセルのグローバルセル一意識別子を追加する。
【００８８】
５Ｇターゲットセルのマスタ情報ブロックにおけるセル禁止アクセススイッチの指示情報が真である場合、ＵＥは前記５ＧターゲットセルがＮＳＡセルであると確定する。
【００８９】
ＮＡＳセルにＲＭＳＩが存在しない場合、ＮＡＳセルの周波数点とＰＣＩをＮＡＳセルのセル識別子として取得する。
【００９０】
ＮＡＳセルにＲＭＳＩが存在する場合、前記ＮＳＡセルのＲＭＳＩから、前記ＮＳＡセルに対応するグローバルセル一意識別子をセル識別子として取得する。
【００９１】
前記報告情報に前記ＮＳＡセルのセル識別子を追加する。
【００９２】
これから分かるように、上記解決策を採用することにより、ＵＥは現在のＬＴＥシステムにおける、隣接セルリストに配置されていない配置漏れの隣接セルをネットワーク側に報告し、該配置されていない配置漏れの隣接セルのＳＡ、ＮＳＡ指示、及び識別子情報のそれぞれをネットワーク側に報告することができ、これにより、ネットワーク側ＬＴＥシステムはＬＴＥセルの隣接関係を完備することができ、さらにハンドオーバ成功率、及びＬＴＥとＮＲの間の密な連携（ｔｉｇｈｔ  ｉｎｔｅｒｗｏｒｋｉｎｇ）動作モードの配置の合理性を向上させることができる。
【００９３】
本発明の実施形態はさらにユーザ機器、又はネットワーク機器のハードウェア構成アーキテクチャを提供する。図５に示すように、それは、少なくとも一つのプロセッサ５１、メモリ５２、少なくとも一つのネットワークインタフェース５３を備える。各コンポーネントはバスシステム５４を介して結合される。バスシステム５４はこれらのコンポーネント間の接続通信を実現することに用いられると理解できる。バスシステム５４はデータバス以外、電源バス、制御バスと状態信号バスを含む。しかしながら、説明を明確にするために、図５では様々なバスシステムがバスシステム５４として標識される。
【００９４】
本発明の実施形態におけるメモリ５２は揮発性メモリ又は不揮発性メモリであってもよく、又は揮発性メモリ及び不揮発性メモリの両者を含むことができると理解できる。
【００９５】
いくつかの実施形態では、メモリ５２は、実行可能モジュール又はデータ構造、又はそれらのサブセット、又はそれらの拡張セット即ちオペレーティングシステム５２１及びアプリケーションプログラム５２２を記憶している。
【００９６】
ここで、前記プロセッサ５１は、前記実施形態形態１又は２の方法のステップを処理できるように構成され、ここでは説明を省略する。
【００９７】
本発明の実施形態によるコンピュータ記憶媒体は、コンピュータ実行可能命令を記憶し、前記コンピュータ実行可能命令が実行される時に、前記実施形態１又は２の方法のステップを実現する。
【００９８】
本発明の実施形態における上記装置は、ソフトウェア機能モジュールの形態で実現され且つ独立した製品として販売又は使用される時に、一つのコンピュータ読み取り可能な記憶媒体に記憶されてもよい。このような理解に基づき、本発明の実施形態における考案は本質的に又は従来技術に寄与する部分がソフトウェア製品の形で具現化されてもよく、該コンピュータソフトウェア製品がコンピュータ機器（パーソナルコンピュータ、サーバ、又はネットワークデバイス等であってもよい）に本発明の様々な実施形態に記載される方法の全て又は一部のステップを実行させるためのいくつかの命令を含む、記憶媒体に記憶される。前記憶媒体はＵＳＢフラッシュドライブ、モバイルハードディスク、読み取り専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このようにして、本発明の実施形態は、いかなる特定のハードウェアとソフトウェアの組み合わせに限定されない。
【００９９】
それに対応して、本発明の実施形態はさらにコンピュータ記憶媒体を提供する。前記コンピュータ記憶媒体には、コンピュータプログラムが記憶され、該コンピュータプログラムが本発明の実施形態のデータスケジューリング方法を実行するように構成される。
【０１００】
本発明の好ましい実施形態は例示の目的で開示されたが、当業者は様々な改善、追加及び置換を理解することができ、したがって、本発明の範囲が上記の実施形態に限定されるべきではない。
【図１】
2021517749.tif 000003
【図２】
2021517749.tif 000004
【図３】
2021517749.tif 000005
【図４】
2021517749.tif 000006
【図５】
2021517749.tif 000007
【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
隣接セル配置方法であって、ネットワーク機器に適用され、前記方法は、
ユーザ機器（ＵＥ）から送信された、測定周波数点に対応するターゲットセルの報告情報を受信し、前記ターゲットセルの報告情報に非スタンドアローン（ＮＳＡ）セル及び／又はスタンドアローン（ＳＡ）セルの識別子情報及び属性情報が少なくとも含まれ、前記ＮＳＡセル及び前記ＳＡセルがいずれもＬＴＥセルの隣接セルリストに存在しないセルであり、前記ＬＴＥセルが前記ネットワーク機器に管理されるセルであるステップと、
前記報告情報に基づき、前記ＮＳＡセル及び／又はＳＡセルに対応する識別子情報と属性情報を隣接セルリストに追加するステップとを含む、前記隣接セル配置方法。
【請求項２】
前記方法はさらに、
前記ＵＥに測定周波数点を配置するステップを含むことを特徴とする
請求項１に記載の方法。
【請求項３】
前記ＮＳＡセル及び／又はＳＡセルに対応する識別子情報と属性情報を隣接セルリストに追加する前記ステップは、
前記ＬＴＥセルがデュアル接続をサポートするセルである場合、前記報告情報にＳＡセルが含まれる場合、前記報告情報から前記ＳＡセルに対応するグローバルセル一意識別子を取得し、前記ＳＡセルのグローバルセル一意識別子を隣接セルリストに追加するステップを含むことを特徴とする
請求項１に記載の方法。
【請求項４】
前記ＮＳＡセル及び／又はＳＡセルに対応する識別子情報と属性情報を隣接セルリストに追加する前記ステップは、
前記ＬＴＥセルがデュアル接続をサポートするセルである場合、前記報告情報にＮＳＡセルが含まれる場合、前記報告情報から前記ＮＳＡセルに対応する周波数点、及び物理セル識別子（ＰＣＩ）を取得するステップと、
前記ＮＳＡセルに対応する周波数点及びＰＣＩを隣接セルリストに追加するステップとを含むことを特徴とする
請求項１に記載の方法。
【請求項５】
前記ＮＳＡセル及び／又はＳＡセルに対応する識別子情報と属性情報を隣接セルリストに追加する前記ステップは、
前記ＬＴＥセルがデュアル接続をサポートしないセルである場合、前記報告情報にＳＡセルが含まれる場合、前記報告情報から前記ＳＡセルに対応するグローバルセル一意識別子を取得し、前記ＳＡセルのグローバルセル一意識別子を隣接セルリストに追加するステップを含むことを特徴とする
請求項１に記載の方法。
【請求項６】
前記ＮＳＡセル及び／又はＳＡセルに対応する識別子情報と属性情報を隣接セルリストに追加する場合、前記方法はさらに、
前記ＬＴＥセルがデュアル接続をサポートしないセルである場合、前記報告情報にＮＳＡセルが含まれる場合、前記ＮＳＡセルの情報を保存しないステップを含むことを特徴とする
請求項１に記載の方法。
【請求項７】
前記ＮＳＡセル及び／又はＳＡセルに対応する識別子情報と属性情報を隣接セルリストに追加する前記ステップは、
前記ＬＴＥセルがデュアル接続をサポートするセルである場合、前記報告情報から前記ＳＡセル及び／又はＮＳＡセルに対応するグローバルセル一意識別子を取得し、前記ＳＡセル及び／又はＮＳＡセルに対応するグローバルセル一意識別子を隣接セルリストに追加するステップを含むことを特徴とする
請求項１又は２に記載の方法。
【請求項８】
前記ＮＳＡセル及び／又はＳＡセルに対応する識別子情報と属性情報を隣接セルリストに追加する前記ステップは、
前記ＬＴＥセルがデュアル接続をサポートしないセルである場合、前記報告情報から前記ＳＡセル及び／又はＮＳＡセルに対応するグローバルセル一意識別子を取得し、前記ＳＡセルに対応するグローバルセル一意識別子を隣接セルリストに追加するステップを含むことを特徴とする
請求項１又は２に記載の方法。
【請求項９】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、
ここで、前記ハンドオーバタイプがＸｎ／Ｘ２ハンドオーバとＳ１ハンドオーバを含むことを特徴とする
請求項１に記載の方法。
【請求項１０】
隣接セル配置方法であって、ユーザ機器に適用され、前記方法は、
前記ＬＴＥセルに対応するネットワーク機器へ測定周波数点に対応するターゲットセルの報告情報を送信し、前記ターゲットセルの報告情報に非スタンドアローン（ＮＳＡ）セル及び／又はスタンドアローン（ＳＡ）セルの識別子情報及び属性情報が少なくとも含まれ、前記ＮＳＡセル及び前記ＳＡセルがいずれもＬＴＥセルの隣接セルリストに存在しないセルであるステップを含む、前記隣接セル配置方法。
【請求項１１】
前記方法はさらに、
前記ＬＴＥセルに配置された測定周波数点を取得し、前記ＬＴＥセルに配置された報告指示を取得し、前記報告指示が、測定周波数点に対して、ＮＡＳであるかそれともＳＡセルであるかの指示、及びセルのグローバルセル一意識別子及び／又はＰＣＩを報告するように前記ＵＥに指示することに用いられるステップを含むことを特徴とする
請求項１０に記載の方法。
【請求項１２】
前記属性情報は、
ターゲットセルのＮＡＳ又はＳＡセルの指示情報、現在のサービングセルとのインタフェース情報、現在のサービングセルとのハンドオーバタイプ情報の少なくとも１つを含み、
ここで、前記ハンドオーバタイプがＸｎ／Ｘ２ハンドオーバとＳ１ハンドオーバを含むことを特徴とする請求項１０に記載の方法。
【請求項１３】
ネットワーク機器であって、プロセッサと、プロセッサで実行可能なコンピュータプログラムを記憶するためのメモリとを備え、
ここで、前記プロセッサが前記コンピュータプログラムを実行する時に、請求項１−９のいずれか一項に記載される方法のステップを実行するように構成される、前記ネットワーク機器。
【請求項１４】
ユーザ機器であって、プロセッサと、プロセッサで実行可能なコンピュータプログラムを記憶するためのメモリとを備え、
ここで、前記プロセッサが前記コンピュータプログラムを実行する時に、請求項１０−１２のいずれか一項に記載される方法のステップを実行するように構成される、前記ネットワーク機器。
【請求項１５】
コンピュータ記憶媒体であって、コンピュータ実行可能命令を記憶し、前記コンピュータ実行可能命令が実行される時に、請求項１−１２のいずれか一項に記載される方法のステップを実現する、前記コンピュータ記憶媒体。
【手続補正２】
【補正対象書類名】図面
【補正対象項目名】図３
【補正方法】変更
【補正の内容】
【図３】
2021517749.tif 000008
【国際調査報告】
2021517749.tif 000009
2021517749.tif 000010
2021517749.tif 000011
2021517749.tif 000012